(57)【特許請求の範囲】
【請求項１】
投函口の下縁から郵便受箱の内側上方に向けて傾斜した挿入ガイド片部が配設され、
前記投函口の上側には、郵便受箱の前面よりも前方へ突出した庇部を有し、該庇部には、内部に光源が配設されるとともに、前記挿入ガイド片部と略平行に傾斜する庇部下面部が配設され、
該庇部下面部の一部は、光源からの光を下方へ照射可能とする透光性の投光面とされ、該投光面からの照射光によって、郵便受箱の前面に設けられている設備を照明可能としていることを特徴とする郵便受箱。
【発明の詳細な説明】
【０００１】
【発明の属する技術分野】
この出願の発明は、郵便受箱に関するものである。さらに詳しくは、この出願の発明は、郵便受箱に設けられたインターホン等の設備の利便性と操作性を向上させ、さらには郵便物の雨による濡れ防止や防犯性等を良好とすることのできる、改良された新しい郵便受箱に関するものである。
【０００２】
【従来の技術】
従来より、郵便受箱（郵便ポスト）として、その前面に表札やインターホン設備を設けたものや、図４の正面図＜Ａ＞および側断面図＜Ｂ＞に例示したように、本体（１）の前面にインターホン設備（２）等とともに照明部（３）を設け、この照明部（３）によって玄関灯用の照明を兼ねるようにしたものが知られている。
【０００３】
また、その構造として、図４に例示したように、裏側部には郵便物の取出口フタ（４）を開閉自在に設け、前面部の投函口には、フラップ（５）を開閉自在にしたものも知られている。
図４に例示したようなインターホン設備（２）等とともに照明部（３）を前面部に持つ郵便受箱は、郵便受箱を設置するだけで玄関、門周りに必要とされる各種設備を揃えられるという点や、照明部（３）によって、夜間の来訪者にとってもインターホン設備（２）の利用が容易であるという利便性を有している。また、前面部の投函口にフラップ（５）を設ける場合には、郵便受箱の内部への雨水の吹込みを防止し、また、郵便受箱内からの郵便物の抜盗りを防止するのに効果的であるという特徴を有している。
【０００４】
【発明が解決しようとする課題】
しかしながら、インターホン設備（２）等とともに前面部に照明部（３）を備えた郵便受箱は利便性が良好であるものの、従来の郵便受箱の場合には、図４に例示したように、正面に向って光照射する光源（３０）によって照明するようにしているため、たとえば来訪者がインターホン設備（２）を使用する時に直接光が目に入り幻惑され、操作しずらいという問題がある。特に夜間は目が暗闇に慣れているために幻惑が顕著である。
【０００５】
また、従来の郵便受箱の場合、図４に例示したようなフラップ（５）を投函口に有していないものにおいては、開放された状態の投函口からは雨水が直接侵入したり、あるいは他人が投函口より手を入れて郵便物等を抜き盗る等の問題がある。このような問題を解消しようとして投函口を小さくすると郵便物の投函そのものが困難になり、また雨水の侵入も充分には防止できない。
【０００６】
一方、投函口に図４の例のようなフラップ（５）を有している構造の場合には、投函口をより大きくすることができ、雨水の侵入防止や防犯性に一定の効果があるものの、回動自在に軸支して開閉するようにしたフラップ（５）は、郵便受箱の構造を複雑とし、板金加工や組立てを面倒なものとし、さらには、フラップ（５）によって郵便物が挾まり止まり、本体（１）内に完全には挿入されずに、雨で濡れてしまうことや盗難が生じやすいという問題が避けられない。しかも、フラップ（５）は、故障が避けられず、このフラップ（５）が破損し、外れた場合には投函口が開放された状態となるため、図５のように、雨水（Ａ）が投函口（５０）より直接的に侵入し、郵便受箱本体（１）内部の郵便物を濡らすとともに、手（Ｂ）が手首以上も投函口（５０）より入ることが可能となるため郵便物が盗難にあう恐れが強くなる。
【０００７】
そこで、この出願の発明は、以上のような従来の問題点を解消し、利便性やインターホン設備等の操作性を向上させることができ、さらには投函口をより大きくでき、雨水の侵入や盗難の防止性も良好な、改良された新しい郵便受箱を提供することを課題としている。
【０００８】
【課題を解決するための手段】
この出願の発明は、上記の課題を解決するための手段として、投函口の下縁から、郵便受箱の内側上方に向けて傾斜した挿入ガイド片部が配設され、前記投函口の上側には、郵便受箱の前面よりも前方へ突出した庇部を有し、該庇部には、内部に光源が配設されるとともに、前記挿入ガイド片部と略平行に傾斜する庇部下面部が配設され、該庇部下面部の一部は、光源からの光を下方へ照射可能とする透光性の投光面とされ、該投光面からの照射光によって、郵便受箱の前面に設けられている設備を照明可能としていることを特徴とする郵便受箱を提供する。
【００１０】
【発明の実施の形態】
この出願の発明は上記のとおりの特徴をもつものであるが、以下にその実施の形態を実施例に沿って説明する。
【００１１】
【実施例】
図１は、この出願の発明の郵便受箱をブロック塀（６）等に設置した状態として例示した断面図であり、図２は、郵便受箱を例示した外観斜視図である。
たとえばこの図１および図２に例示したように、この出願の第１の発明の郵便受箱においては、投函口（５０）の上側に庇部（７）を有し、この庇部（７）の内部には光源（３０）が配設されている。そして、光源（３０）からの照射光（Ｌ）は郵便受箱本体（１）の前面、すなわち投函口（５０）が配置されている前面に設けられたインターホン設備（２）や表札（８）等の設備を上方から照明可能としている。
【００１２】
庇部（７）は、投函口（５０）の上側にあって前方へ突出しているが、その突出量は、インターホン設備（２）等の前面設備を充分に照らすことが可能となる量であればよく、郵便受箱全体の機能や意匠を損わない突出量であればよい。庇部（７）に内蔵した光源（３０）は蛍光灯、白熱灯、あるいはＬＥＤ等の各種のものであってよい。この内蔵した光源（３０）からの照射光（Ｌ）が下方に照射されるように、庇部（７）下面の投光面には、透光性を有するアクリル板等を配設する。
【００１３】
たとえば以上のように庇部（７）を設けることによって投函口（５０）への雨水の吹込みが抑えられるとともに、庇部（７）に内蔵した光源（３０）で光を下方に照射してインターホン設備（２）等の本体（１）前面の設備を照明するようにしていることから、来訪者がインターホン設備（２）等の存在を判別しやすくし、また、これを使用する場合にも直接的には照射光（Ｌ）が目に入らないため、従来の場合のように幻惑されることもなく、操作はスムーズに行われることになる。
【００１４】
特にこの効果は、目が暗闇に慣れている夜間において顕著であり、来訪者の目を幻惑することなくインターホン設備（２）等の利用を容易とする。また表札（８）についても、上方からの照明であることから、その識別を容易とする。利便性や操作性を大きく向上させることになる。
なお、光源（３０）は、必要に応じて庇部（７）前面の文字「ＰＯＳＴ」等を浮き上がらせるようにしてもよい。ただ、この場合には、来訪者等の目を幻惑することがないように、アクリル板等で光を減じて文字を浮き上がらせる程度とする。
【００１５】
そして、この出願の第２の発明の郵便受箱では、図１および図２に例示したように、庇部（７）の下面部（７１）、つまり前記の投光面、もしくは投光面をその一部とする部分は、郵便受箱本体（１）の内側上方に向けて傾斜しており、また、投函口（５０）の下縁から本体（１）の内側上方向に向けて、前記の傾斜と略平行に挿入ガイド片部（５１）が配設されている。
【００１６】
ここで略平行とは、対向面が平行であるか、実質的に許容される寸法自由度の範囲内において平行であることを意味している。
以上のような構造とすることで、庇部（７）の存在で投函口には直接雨は降りかからないことから、投函口（５０）にには通常見られるフラップを設ける必要がない。これにより構造が簡単となり、かつ部品点数を減らすことが可能となっている。
【００１７】
またフラップを無くすることで、図１に示したように、郵便物（Ｃ）がフラップに挾まり止まることが無くなるので、配達人が完全に投函することなく放置することが防げ、雨で郵便物（Ｃ）が濡れてしまうことを未然に防ぐことができる。また、従来のようにフラップが破損した場合の雨水の侵入や盗難という問題も生じない。
【００１８】
そして、投函口（５０）の挿入ガイド片部（５１）と庇部（７）の下面部（７１）との間の隙間を大きくとっても、内側上方へのそれらの傾斜によって、図３に示したように、投函口（５０）から手（Ｂ）を差し込んで配達物（Ｃ）を盗むことを効果的に防止する。手（Ｂ）は、図３のように、投函された郵便物（Ｃ）を取出すことができないのである。
【００１９】
さらに、前記のように隙間、すなわち投函口（５０）の開口寸法を大きくとることができるので、たとえばカタログ、雑誌等の大型郵便物であってもその投入が容易となる。
もちろん、この発明の郵便受箱についてはその細部の構成は様々であってよい。たとえば、図１および図２に例示したように、板金加工とその組立等によって作製される郵便受箱の本体（１）には、インターホン設備（２）等の諸設備の厚み等を考慮して、前記第１の発明における上方からの照明が適切となるように、投函口（５０）より一段深く凹部を形成していてもよい。また、インターホン設備（２）等の本体（１）前面への取付けも従来と同様の構造をはじめとして、各種構造であってよい。
【００２０】
【発明の効果】
以上詳しく説明したとおり、この出願の発明により、来訪者がインターホン設備等を判別し、これを使用する時に光により幻惑させることなくそれらの判別と使用を容易とする利便性、操作性に優れた郵便受箱が提供される。また、簡便な構造で部品点数を減らすことができ、大型郵便物の投函も可能で、雨水の侵入や盗難の防止に優れた郵便受箱が提供される。
【図面の簡単な説明】
【図１】この発明の郵便受箱を例示した断面図である。
【図２】この発明の郵便受箱を例示した斜視図である。
【図３】盗難防止効果について説明した断面図である。
【図４】従来の郵便受箱を示した正面図＜Ａ＞と断面図である。
【図５】フラップを破損した状態の従来の郵便受箱の問題点を説明した断面図である。
【符号の説明】
１  本体
２  インターホン設備
３  照明部
３０  光源
４  取出口フタ
５  フラップ
５０  投函口
５１  挿入ガイド部
６  ブロック塀
７  庇部
７１  下面部
８  表札
Ａ  雨水
Ｂ  手
Ｃ  郵便物
Ｌ  照射光
【図１】
0004613376.tif 000002
【図２】
0004613376.tif 000003
【図３】
0004613376.tif 000004
【図４】
0004613376.tif 000005
【図５】
0004613376.tif 000006